(57)【特許請求の範囲】
【請求項１】
上折り畳み装置と、
本体と折り畳みブロック、摺動ブロック、弾性体、固定ストッパー及び折り畳みバネから構成され、本体の下方に折り畳みブロックが嵌合されて組み立てられる冂字形凹槽が設けられ、中間部に摺動槽が設置され、折り畳みブロックにおいて、互いに嵌合する箇所に、摺動ブロックが嵌合されて固定される折り畳み槽が設置され、その摺動ブロックの下端により折り畳みブロックが折り畳まれて固定され、上端に引き綱を固定する固定槽が設置され、弾性体により摺動ブロックが自動的に回復になる下折り畳み装置と、
フレームの底端に位置し、両側の下折り畳み装置を接続する引き綱と、
折り畳み構造と第２のバネから構成され、折り畳み構造が、フレームの下端の両側に設置され、折り畳み構造に、第２のバネが設置される第２の下折り畳み装置と、
複数のパイプから構成されるフレームが含有されることを特徴とする、移動便利である可動防護柵。
【請求項２】
下折り畳み装置の固定ストッパーは、本体の摺動槽の一側に設置されることを特徴とする、請求項１に記載の移動便利である可動防護柵。
【請求項３】
下折り畳み装置の折り畳みバネは、下折り畳み装置の上方に折り畳みバネが設置され、折り畳みバネの外側にプラスチックカバーが貫設されることを特徴とする、請求項１に記載の移動便利である可動防護柵。
【請求項４】
第２の下折り畳み装置は、折り畳み構造に第２のバネが設置され、第２のバネ上にバネカバーが貫設されることを特徴とする、請求項１に記載の移動便利である可動防護柵。
【請求項５】
フレームは、対応する直立フレーム体の下端に車輪が設置されることを特徴とする、請求項１に記載の移動便利である可動防護柵。
【請求項６】
フレームの布体の周りに、係合具が設置されることを特徴とする、請求項１に記載の移動便利である可動防護柵。
【発明の詳細な説明】
【技術分野】
【０００１】
本発明は、上折り畳み装置と下折り畳み装置、引き綱、第２の下折り畳み装置及びフレームから構成される移動便利である可動防護柵に関し、特に、引き綱により快速的に可動防護柵を折り畳んで体積を縮小でき、また、フレームの底端に車輪が設置され、可動防護柵を任意な箇所に引っ張ることができ、折り畳む時、指が挟まれることなく安全的に利用できるものに関する。
【背景技術】
【０００２】
従来の幼児遊びベッドは、幼児遊びベッドの折り畳み構造により、幼児遊びベッドの折り畳みフレームの展開と折り畳みを行い、該幼児遊びベッドは基座に第１の基座組があり、その一側に該折り畳みフレームの一側の下端の第２の基座組が枢着され、もう一側に該折り畳みフレームのもう一側の下端にある折り畳み組が、該第１の基座組と第２の基座組との間に枢着され、ナックル組があり、該ナックル組が１対の嵌合具と定位部品及び弾性素子から構成され、また、該定位部品は、該折り畳み組が展開される時、該弾性素子により該１対の嵌合具の間に保持されて、該折り畳み組が折り畳まれるように制限され、また、駆動部品があり、可動的に該折り畳み組に枢着され、該定位部品を移動させて、該定位部品が単一の嵌合具の間に位置するようにし、これにより、該折り畳み組が折り畳まれて、該第１の基座組と第２の基座組が、該折り畳みフレームが折り畳まれることに連動され、該部品が折り畳まれた後、体積が大きくて、折り畳み過程においてユーザーが挟まれることが多くて、使用上実用的とは言えない。
【発明の開示】
【発明が解決しようとする課題】
【０００３】
本発明の目的は、上折り畳み装置と下折り畳み装置、引き綱、第２の下折り畳み装置及びフレームから構成され、使用する時、引き綱により快速的に可動防護柵を折り畳み、折り畳まれた後、体積がより小さくて、フレームの底端に設置された車輪により可動防護柵を任意に移動でき、また、折り畳まれる時、下折り畳み装置と第２の下折り畳み装置の上方に、それぞれ折り畳みバネと第２のバネが設置されるため、第２の安全装置として誤って折り畳むことにより傷付くことを防止でき、そのため実用的な移動便利である可動防護柵を提供できる。
【課題を解決するための手段】
【０００４】
本発明に係わる移動便利である可動防護柵は、上折り畳み装置と下折り畳み装置、引き綱、第２の下折り畳み装置及びフレームから構成され、その特徴として、上折り畳み装置と、本体と折り畳みブロック、摺動ブロック、弾性体、固定ストッパー及び折り畳みバネから構成され、本体の下方に折り畳みブロックが嵌合されて組み立てられる冂字形凹槽が設けられ、中間部に摺動槽が設置され、折り畳みブロックにおいて、互いに嵌合する箇所に摺動ブロックが嵌合されて固定される折り畳み槽が設置され、その摺動ブロックの下端により折り畳みブロックが折り畳まれて固定され、上端に引き綱を固定する固定槽が設置され、弾性体により摺動ブロックが自動的に回復になる下折り畳み装置と、フレームの底端に位置し、両側の下折り畳み装置を接続する引き綱と、折り畳み構造と第２のバネから構成され、折り畳み構造がフレームの下端の両側に設置され、折り畳み構造に第２のバネが設置される第２の下折り畳み装置と、複数のパイプから構成されるフレームが含有される。
【発明を実施するための最良の形態】
【０００５】
本発明に係わる移動便利である可動防護柵は、図１のように、上折り畳み装置１と下折り畳み装置２、引き綱３、第２の下折り畳み装置４及びフレーム５から構成され、また、上折り畳み装置１はフレーム５の上端の周りに組み立てられ、これにより、フレーム５の上端が折り畳まれ、下折り畳み装置２は、図２と図３のように、本体２１と折り畳みブロック２２、摺動ブロック２３、弾性体２４、固定ストッパー２５及び折り畳みバネ２６から構成され、本体２１は、一端が円弧状であるブロック体であり、本体２１の下方に冂字形である凹槽２１１が設けられ、これにより折り畳みブロック２２が嵌合されて、本体２１の中間部分に摺動槽２１２が設置され、これにより摺動ブロック２３が摺動的に設置され、その折り畳みブロック２２が、左右対照して互いに嵌合できるブロック体であり、また、左右の両折り畳みブロック２２の外側の一端が、ともにフレーム５内に設置され、互いに嵌合される位置に、摺動ブロック２３を嵌合して固定するための折り畳み槽２２１が設置され、その摺動ブロック２３の下端が、折り畳まれる時、折り畳みブロック２２を嵌合するためのものであり、上端に引き綱３を固定するための固定槽２３１が設置され、弾性体２４が、摺動ブロック２３を自動的に回復するための部品であり、固定ストッパー２５が本体２１の摺動槽２１２の一側に設置され、これにより、摺動ブロック２３が脱落することを防止でき、また、下折り畳み装置２の上方に折り畳みバネ２６が設置され、圧力を増加することにより、誤って下折り畳み装置２を作動して折り畳むことになることを防止でき、また、折り畳みバネ２６の外側にプラスチックカバー２６１が貫設され、これにより、折り畳む時、フレーム５の布体５２が挟まれることを奉仕でき、また、引き綱３は、フレーム５の底端において、両側の下折り畳み装置２を接続する接続部品であり、両端がフレーム５の両側の下折り畳み装置２に設置され、第２の下折り畳み装置４は、図８のように、折り畳み構造４１と第２のバネ４２とから構成され、折り畳み構造４１がフレーム５の下端の両側に設置され、折り畳み構造４１の上方に、圧力を増加して誤って折り畳むことを防止するための第２のバネ４２が設置され、第２のバネ４２にバネカバー４２１が設置され、これにより、折り畳む時、フレーム５の布体５２が挟まれず、スムーズに作動できるようになり、フレーム５は、図６のように複数のパイプから構成され、フレーム５の二つの対応する直立フレーム体の下端に車輪５１が設置され、これにより、フレームが任意に移動でき、フレーム５の外側に布体５２が覆われ、布体５２の周りに係合具５２１が設置され、これにより、フレーム５が折り畳んで収納される時、フレーム５を係合して固定でき、そのため、防護柵が移動する時、脱落することがない。
【０００６】
移動便利である可動防護柵は、図１のように、フレーム５の上方において、横棒に上折り畳み装置１が設置され、フレーム５の下方において、横棒に下折り畳み装置２と第２の折り畳み装置４が設置され、また、下折り畳み装置２の間に引き綱３が設置される。
【０００７】
移動便利である可動防護柵を使用する時、図４と図５のように、最初に可動防護柵を折り畳む時、引き綱３を引っ張ることにより下折り畳み装置２を連動させ、下折り畳み装置２の摺動ブロック２３が、引き綱３により連動され引っ張られ、これにより、摺動ブロック２３が、弾性体２４を付勢して、その二つの折り畳みブロック２２により、フレーム５の底部の両側が上へ引き上げられ、また、フレーム５の上方の両側が真中へ折り畳まれ、図６のように、そのフレーム５の両側が互いに接近して、また、布体５２の雌雄係合具５２１により互いに係合し、また、フレーム５の下方に車輪５１が設置されるため、図７のように、この時、可動防護柵を移動させて他の位置に保管でき、また、可動防護柵を完全に折り畳んで収納する時、図８のように、第２の折り畳み装置４の折り畳み構造４１を上へ引き上げるたけで、図９のようにフレーム５の両側が更に折り畳まれる。
【０００８】
折り畳みを両段にすることにより、１段目により、フレーム５の両側が折り畳まれて接近することにより便利に移動でき、また、折り畳む時、第２の下折り畳み装置４の第２のバネ４２の付勢により引き綱３による引っ張ることに対抗でき、フレーム５の底部が同時に折り畳まれ、これにより折り畳むことがスムーズに行われ、２段目による長期的に収納する時、第２の下折り畳み装置４を上へ引き上げて、フレーム５の両側が隙間無く緊密に接近できる。
【図面の簡単な説明】
【０００９】
【図１】本発明の部品の組立て概念図
【図２】本発明の下折り畳み装置の部品分解概念図
【図３】本発明の下折り畳み装置の組立て概念図
【図４】本発明の下折り畳み装置の作動断面概念図
【図５】本発明のフレームを折り畳む時の概念図
【図６】本発明の布体の折り畳む時の概念図
【図７】本発明を引っ張る時の作動概念図
【図８】本発明の安全装置の作動概念図
【図９】本発明の他の折り畳む時の概念図
【符号の説明】
【００１０】
１        上折り畳み装置
２        下折り畳み装置
２１      本体
２１１    凹槽
２１２    摺動槽
２２      折り畳みブロック
２２１    折り畳み槽
２３      摺動ブロック
２３１    固定槽
２４      弾性体
２５      固定ストッパー
２６      折り畳みバネ
２６１    プラスチックカバー
２７      固定ピン
３        引き綱
４        第２の下折り畳み装置
４１      折り畳み構造
４２      第２のバネ
４２１    バネカバー
５        フレーム
５１      車輪
５２      布体
５２１    係合具
【図１】
0004714914.tif 000002
【図２】
0004714914.tif 000003
【図３】
0004714914.tif 000004
【図４】
0004714914.tif 000005
【図５】
0004714914.tif 000006
【図６】
0004714914.tif 000007
【図７】
0004714914.tif 000008
【図８】
0004714914.tif 000009
【図９】
0004714914.tif 000010